(57)【特許請求の範囲】
【請求項１】
貯蔵室の開口部を開閉する扉の前記貯蔵室側に貯蔵物を収納する収納ポケットを設けた冷蔵庫において、
前記扉を閉じた状態で、前記貯蔵室の底壁を成す仕切り部に底面が近接した高さに前記収容ポケットを配置し、
前記収納ポケットを複数に区分けして設け、
前記収納ポケットの底面は先端に行くほど下がる面とし、
前記扉から前記貯蔵室側に延びて前記収納ポケットの底面を支持するポケット支え部を設け、
前記ポケット支え部の下面よりも前記収納ポケットの底面先端を下方にして前記仕切り部の上面に近づけたことを特徴とする冷蔵庫。
【請求項２】
前記貯蔵室側に配される前部ポケットと前記前部ポケットよりも前記扉側に配される後部ポケットとを設け、
前記前部ポケットの底面を前記後部ポケットの底面よりも下方に配するとともに、前記ポケット支え部の先端は前記前部ポケットよりも前記扉側に位置させたことを特徴とする請求項１に記載の冷蔵庫。
【請求項３】
前記扉を閉じたときの、前記収納ポケットの占める前後方向の領域は、前記貯蔵室の全体の約３分の１であることを特徴とする請求項１または請求項２に記載の冷蔵庫。
【請求項４】
前記後部ポケットの下面から突出するとともに前記ポケット支え部の先端近傍に配される突出部と、前記後部ポケットの下面から突出するとともに前記前部ポケットと前記突出部とを連結するリブとを設けたことを特徴とする請求項２に記載の冷蔵庫。
【請求項５】
前記収納ポケットを前記扉に設けた突起部に係止し、前記ポケット支え部に係合して前記収納ポケットの上昇を規制する規制部を前記突出部に設け、
前記規制部は、前記ポケット支え部の下方で前記突出部から前記ポケット支え部側に突出する凸部から成ることを特徴とする請求項４に記載の冷蔵庫。
【請求項６】
前記扉の内面周部にドアパッキン挿入用の溝を設け、下部の前記溝を前記貯蔵室の底壁よりも上方に配したことを特徴とする請求項１〜請求項５のいずれかに記載した冷蔵庫。
【請求項７】
前記貯蔵室の背面部に冷却板を設け、前記背面部の中央部付近に冷気の吐出口を設け、
前記吐出口から吐き出された冷気はガイドによって斜め前方に導かれ、
前記冷気の一部は、冷却板を冷却するとともに、前方に流れて前記扉側のポケット付近に達し、前記収納ポケットの背面部側を下方に流れ、
前記冷気は前記仕切り部の上面を背面部側に流れることを特徴とする請求項１〜請求項６のいずれかに記載の冷蔵庫。
【発明の詳細な説明】
【技術分野】
【０００１】
本発明は、冷蔵庫に関するものである。
【背景技術】
【０００２】
近年、食生活の多様化や環境意識の変化にともない冷蔵庫の貯蔵物の大容量化、消費電力の省エネ化の傾向にある。またわが国の住宅環境を考えると、冷蔵庫を設置する空間は、限られており、収納効率の高い冷蔵庫が求められる傾向にある。
【０００３】
一般的な冷蔵庫は、冷蔵室と冷凍室が配されて、それぞれ扉により開閉が可能となっている。また、扉内側には、特許文献１で開示されるようにペットボトルや瓶ビールを収納する大型の収納ポケットや調味料等を収納する小型の収納ポケットが設けられ、収納ポケットは前後二段にすることで、貯蔵物を効率よく収納することが可能となっている。
【特許文献１】特開２０００−１４６４０５号公報
【発明の開示】
【発明が解決しようとする課題】
【０００４】
しかし、上記従来の構成では、複数段の収納ポケットにそれぞれペットボトル等の背の高い貯蔵物を収納すると奥の後段部にある収納物を取り出す際、手前の前段部に収納された貯蔵物の上端部分が邪魔で取り出しにくいという課題があった。また、冷蔵室内では上方から降りてきた冷気の一部が冷蔵室底壁と収納ポケット底面の間の空間を通って流出口とは反対方向にある扉側へ流れる。このため冷蔵室内の冷却効率が低いという課題もあった。
【０００５】
本発明は、扉内側に複数段の収納ポケットを備えた冷蔵庫において、貯蔵物の出し入れが容易であるとともに冷却効率の高い冷蔵庫を提供することを目的とする。
【課題を解決するための手段】
【０００６】
上記目的を達成するために本発明の構成は、貯蔵室の開口部を開閉する扉の前記貯蔵室側に貯蔵物を収納する収納ポケットを設けた冷蔵庫において、前記扉を閉じた状態で、前記貯蔵室の底壁を成す仕切り部に底面が近接した高さに前記収容ポケットを配置し、前記収納ポケットを複数に区分けして設け、前記収納ポケットの底面は先端に行くほど下がる面とし、前記扉から前記貯蔵室側に延びて前記収納ポケットの底面を支持するポケット支え部を設け、前記ポケット支え部の下面よりも前記収納ポケットの底面先端を下方にして前記仕切り部の上面に近づけたことを特徴とする。また、前記貯蔵室側に配される前部ポケットと前記前部ポケットよりも前記扉側に配される後部ポケットとを設け、前記前部ポケットの底面を前記後部ポケットの底面よりも下方に配するとともに、前記ポケット支え部の先端は前記前部ポケットよりも前記扉側に位置させことを特徴とする。また、前記扉を閉じたときの、前記収納ポケットの占める前後方向の領域は、前記貯蔵室の全体の約３分の１であることを特徴とする。
【０００７】
また本発明は、上記構成の冷蔵庫において、前記後部ポケットの下面から突出するとともに前記ポケット支え部の先端近傍に配される突出部と、前記後部ポケットの下面から突出するとともに前記前部ポケットと前記突出部とを連結するリブとを設けたことを特徴とする
【０００８】
この構成によると、重量のある収納物を収納した場合に収納ポケットがたわんで下方に下がる。このとき後段ポケット下面から突き出た突出部がポケット支え部に当たる。これにより、収納ポケットに対して下向きにかかる力がリブを前後方向に圧縮する力に変えられる。
【０００９】
また本発明は、上記構成の冷蔵庫において、前記収納ポケットを前記扉に設けた突起部に係止し、前記ポケット支え部に係合して前記収納ポケットの上昇を規制する規制部を前記突出部に設け、前記規制部は、前記ポケット支え部の下方で前記突出部から前記ポケット支え部側に突出する凸部から成ることを特徴とする。
【００１０】
この構成によると、重量のある収納物を収納した場合に収納ポケットがたわんで下方に下がる。そして後段ポケット下面から突き出た突出部先端がポケット支え部に当たると凸部がポケット支え部先端の下方に位置し、凸部とポケット支えと係合して収納ポケットの上昇が規制される。
【００１２】
また本発明は、上記構成の冷蔵庫において、前記扉の内面部周囲に設けたドアパッキン挿入用の溝の位置を、前記貯蔵室底壁より上方に配したことを特徴とする。また、前記貯蔵室の背面部に冷却板を設け、前記背面部の中央部付近に冷気の吐出口を設け、前記吐出口から吐き出された冷気はガイドによって斜め前方に導かれ、前記冷気の一部は、冷却板を冷却するとともに、前方に流れて前記扉側のポケット付近に達し、前記収納ポケットの背面部側を下方に流れ、前記冷気は前記仕切り部の上面を背面部側に流れることを特徴とする。
【発明の効果】
【００１３】
本発明によると、前部ポケットの底面の少なくとも一部を後部ポケットの底面よりも下方に配しているので、前後の収納ポケットに貯蔵物を収納することができ、奥の後部ポケットに収納された貯蔵物の出し入れが容易になる。
【００１４】
また本発明によると、扉からのびるポケット支部により後部ポケットの底面の少なくとも一部を支持するので収納ポケットのたわみを少なくでき、前部ポケット底部先端の低下を抑えることができる。また、前部ポケット底部先端の低下を抑えることで、貯蔵室底壁と前部ポケット底面の間をより小さく設定できる。このため、前部ポケットの底面を後部ポケットの底面より更に低く配することが可能となり、いっそう後段ポケットへの貯蔵物の出し入れが容易になる。
【００１５】
また、前部ポケット底面を下げ貯蔵室底壁との間を小さく設定することで、貯蔵室内を循環する冷気の一部が扉側に抜け出るための進入口が狭くなる。このため、貯蔵室側から扉側へ抜け出る冷気が減り冷蔵室内の冷却効率が下がるのを抑えることができる。
【００１６】
また本発明によると、後部ポケットから突出する突出部と前部ポケットとを連絡するリブを備えたので、収納ポケットのたわみをより少なくすることができる。
【００１７】
また本発明によると、収納ポケットを扉に設けた突起部に係止するだけなので、収納ポケットを簡易に貯蔵室側に装着できる。また、規制部を突出部に設けたことで、冷蔵庫扉を閉めるときの衝撃で収納ポケットが上方へずれることを防ぐことができる。
【００１８】
また本発明によると、突出部がポケット支え部の下方で該ポケット支え部側に突出する凸部を構成することでポケットの上昇を規制する規制部を容易に実現できる。
【００２０】
また本発明によると、下方ドアパッキンを挿入する下部の溝を貯蔵室底壁よりも上方に配したので、溝と扉の下面間に一定の距離を設けることで、断熱層の厚みを確保することができ下方ドアパッキン挿入溝から逃げる熱を減らし貯蔵室の断熱性を確保できる。
【発明を実施するための最良の形態】
【００２１】
以下に本発明の実施形態を図面を参照して説明する。図１、図２は一実施形態の冷蔵庫を示す正面図及び側面断面図である。冷蔵庫１は上部に扉２ａで開閉される冷蔵室２が配され、冷蔵室２の下方には温度切替室３及び製氷室４が左右に並設される。温度切替室３の下方には野菜室５が配され、製氷室４に連通する冷凍室６が製氷室４の下方に配されている。また、冷蔵室２の下部にチルド室２３が隔離して設けられる。
【００２２】
冷凍室６の後方には冷気通路３１が設けられ、圧縮機（不図示）に接続した冷却器１７が冷気通路３１内に配される。冷却器１７は圧縮機の駆動によって冷凍サイクルの低温側となり、冷気を生成する。冷却器１７の上方には冷凍室送風機１８が配され、冷凍室送風機１８の上方に冷蔵室ダンパ２７が設けられる。
【００２３】
冷凍室６の下部には冷凍室６から冷気が流出する戻り口２２が設けられる。戻り口２２から流出した冷気は冷気通路３１を介して冷却器１７に戻る。また、冷気通路３１は上部で分岐し、温度切替室吐出ダンパ１３を介して温度切替室３に冷気を導くとともに、チルド室ダンパ２５を介してチルド室２３に冷気を導く。
【００２４】
冷蔵室２内には貯蔵物を載置する複数の載置棚４１が配される。冷蔵室２の下部には冷蔵室２内の臭いを検知する臭いセンサ７３が設けられる。冷蔵室２の後方には冷蔵室ダンパ２７を介して冷気通路３１と連通する略Ｕ字型の冷気通路３２が設けられる。冷気通路３２の下部には冷蔵室送風機２８が配される。冷気通路３１を流通する冷気は冷蔵室ダンパ２７を開いて冷蔵室送風機２８を駆動することにより、冷気通路３２に導かれる。
【００２５】
図３は冷蔵室２の上面断面図を示している。冷蔵室２の背面は冷気通路３２を覆う冷却板４２が配される。図４は冷却板４２を示す斜視図である。冷却板４２はアルミニウムやステンレス等の金属板をプレス加工して形成され、中央部に後方に凹む段部４２ｂが左右の冷気通路３２に沿って形成される。
【００２６】
冷気通路３２の側壁には複数の吐出口３２ａが設けられ、段部４２ｂには吐出口３２ａに重なる吐出口４２ａが開口する。冷気通路３２を流通する冷気は図３で矢印に示すように吐出口４２ａ及び左右端の吐出口３２ａから冷蔵室２内に吐出される。また、冷却板４２から冷気通路３２を流通する冷気の冷熱が冷蔵室２内に放出される。これにより、冷蔵室２内を均一に冷却することができる。
【００２７】
冷却板４２の左右の段部４２ｂの間には更に後方に凹む凹部４２ｃが上下に延びて形成される。凹部４２ｃは冷蔵室２内を照明する照明灯５０が配され、透明な樹脂製の照明灯カバー５１により覆われる。照明灯５０の後方に金属製の冷却板４２が配されるため、照明灯５０の光を反射して少ない消費電力で冷蔵室２内を明るくすることができる。
【００２８】
また、冷却板４２の表面には水平に延びる凸部４２ｄ（図４参照）が形成される。冷蔵室２の扉２ａを開いて高温の空気が流入した際に冷却板４２に生じた結露による水滴は凸部４２ｄの上面で保持される。これにより、冷蔵室２の下部に水滴を流下させず、冷蔵室２の下部に流下した水滴が集まることによって貯蔵物が濡れることを防止する。凸部４２ｄで保持された水滴は扉２ａを閉じて冷蔵室２を冷却すると乾燥する。そのため前記冷却板４２は保湿機能を有し冷蔵庫２を適度に保温することに役立つ。
【００２９】
照明灯カバー５１には、各載置棚４１に対応する位置に複数の開口部５１ａ（図１参照）が形成されている。冷蔵室２の背面に接した上部には脱臭ユニット６０（図２参照）が配される。冷却板４２の凹部４２ｃと照明灯カバー５１との間には、冷蔵室２内の各載置棚４１上を流通する冷気を開口部５１ａから取り込んで脱臭ユニット６０に導く循環通路５２が形成される。循環経路５２を流通する冷気は脱臭ユニット６０を通過して冷蔵室２内に吐出される。これにより、冷蔵室２内で冷気が循環する。
【００３０】
図１、図２において、冷蔵室２の下部及び野菜室５の上部には開口部（不図示）が設けられ、これらを連結する連通路を介して冷蔵室２と野菜室５とが連通している。野菜室５の後方には戻りダクト１９が設けられ、野菜室５には戻りダクト１９に臨む流出口（不図示）が形成される。
【００３１】
温度切替室３には開いた際に戻りダクト１９に連通する温度切替室戻りダンパ２０が設けられる。戻りダクト１９は冷気通路３１に連通し、戻りダクト１９及び冷気通路３１を介して野菜室５及び温度切替室３から冷却器１７に冷気を戻す。また、温度切替室３内にはヒータ１５及び温度切替室送風機１４が設けられる。
【００３２】
上記構成の冷蔵庫１において、冷却器１７で生成された冷気は冷凍室送風機１８の駆動により冷気通路３１を流通して冷凍室６及び製氷室４に送出される。該冷気は冷凍室６及び製氷室４を流通して戻り口２２から流出し、冷却器１７に戻る。これにより、冷凍室６及び製氷室４は約−１８℃に保持され、貯蔵物及び氷を冷凍保存する。また、冷気通路３１の上部で分岐した冷気はチルド室ダンパ２５を介してチルド室２３に流入し、チルド室２３を例えば、０℃に冷却する。
【００３３】
冷蔵室送風機２８の駆動により冷気通路３１を流通する冷気の一部は冷気通路３２に導かれ、吐出口３２ａ、４２ａから冷蔵室２に送出される。これにより、冷蔵室２は約３℃に保持され、貯蔵物を冷蔵保存する。冷蔵室２を流通した冷気はチルド室２３から流出した冷気と合流し、その一部は連通路（不図示）を介して野菜室５に流入する。該冷気は野菜室５を流通し、戻りダクト１９を介して冷却器１７に戻る。これにより、野菜室５は約８℃に保持され、野菜を冷蔵保存する。
【００３４】
また、温度切替室３を低温側に切り替えると温度切替室吐出ダンパ１３及び温度切替室戻りダンパ２０が開く。冷気通路３１の上部で分岐した冷気は温度切替室吐出ダンパ１３を介して温度切替室３に流入し、温度切替室戻りダンパ２０を介して戻りダクト１９に戻る。これにより、温度切替室３内が貯蔵物を冷却保存する所望の温度に維持される。
【００３５】
温度切替室３を高温側に切り替えると温度切替室吐出ダンパ１３及び温度切替室戻りダンパ２０が閉じられる。また、ヒータ１５に通電され、温度切替室送風機１４が駆動される。これにより、温度切替室３内の空気が循環して昇温され、温度切替室３内が加熱物を保温する所望の温度（例えば腐敗菌等の繁殖を防ぐ温度である４５℃以上）に維持される。
【００３６】
図５は扉の要部を示す側面断面図である。本図において２ａは扉、８２は外面部となるドアプレート、８３は内面部となるドアバック、８４はドアキャップ、８５はドアバック８３の下方から貯蔵室側に突き出したポケット支え部、８６はドアバッグ８３の左右両側から突き出した突出側面である。尚、貯蔵物として例示のためボトル形状を実線で描いている。
【００３７】
ドアプレート８２は左右両側を後方に屈曲した側面部（不図示）を有している。ドアキャップ８４は対向配置されるドアプレート８２とドアバック８３の上下に被せられ、内部の空間部に断熱材が配される。本実施例においては、前記空間部に発泡ウタレン原料を注入し発泡固化したウレタンを断熱材として用いている。これにより扉２ａが形成されている。
【００３８】
ドアバック８３の貯蔵室側に設けられた収納ポケット９３は前後方向に区分けされ、冷蔵室２（貯蔵室）側に配される前部ポケット８８と扉側に配される後部ポケット８７を備えている。これにより、扉２ａを開いた際に前記ドアバック８３側から前記収納ポケット９３を見たとき、前部ポケット８８が手前に配され、後部ポケット８７が奥側に配される。また、前部ポケット８８の後部ポケット８７側底面は後部ポケット８７の底面よりも下方になるように形成されている。
【００３９】
このため、例えば、前部ポケット８８に背の高い貯蔵物（例えばボトル、ビール瓶等）を収納した場合、背の高い貯蔵物の上端部分が低い位置にくるため、奥の後部ポケット８７への貯蔵物の出し入れが簡単になる。また、前記各々のポケットの貯蔵室側壁面の上部が後方になるように傾斜しているので貯蔵物を取り出しやすい。尚、前部ポケット８８の後部ポケット側は後述する扉側の壁面８８ａを設けているが扉側の壁面８８ａは下端が後方となる傾斜面でもよく曲面となってもよい。また、扉側の壁面８８ａを設けずに前部ポケット８８の底面で貯蔵室側先端が後部ポケット８７の底面の延長線よりも下方になっていれば前記同様の効果は得られる。
【００４０】
後部ポケット８７の両側面には上下に延びる凹部８７ｅが形成される。ドアバック８３の庫内側の両側部には上下に延びる突出側面８６が設けられる。両突出側面８６には互いに向き合う方向に突出する突起部８６ａが形成される。収納ポケット９３の取り付け時には収納ポケット９３が両突出側面８６間に上方から挿入される。そして、突起部８６ａが凹部８７ｅに嵌合し、突起部８６ａにより収納ポケット９３が下方に摺動案内される。これにより、凹部８７ｅが突起部８６ａに係合され、収納ポケット９３が扉２ａの突出側面８６の内側に掛着される。尚、本図では突起部８６ａは理解しやすくするため実線で描いている。
【００４１】
前部ポケット８８は扉２ａから突き出た状態になり、後部ポケット８７や前部ポケット８８に重量のある貯蔵物を収納すると該貯蔵物の荷重が収納ポケット９３にかかる。この荷重により、ポケット支え部８５の貯蔵室側先端を支点として前部ポケット８８が下向きに回動するように力が加わる。これにより、収納ポケット９３の底面がたわむとともに、該荷重が収納ポケット９３の耐久性を超えるとひび割れを起こす可能性がある。
【００４２】
ドアバッグ８３から貯蔵室側へ突き出したポケット支え部８５は該荷重による上下方向の力を支え、収納ポケット９３のたわみやひび割れを抑える。
【００４３】
また、後部ポケット８７の下面からポケット支え部８５の先端近傍に突出した突出部８７ａと前部ポケット８８の扉側の壁面８８ａを連結するリブ８７ｂを設けることで、収納ポケット９３がたわんでポケット支え部８５に突出部８７ａが当たった際に、上下方向にかかる力が前後方向にリブ８７ｂを圧縮する力に変えられる。
【００４４】
このことは特にリブ８７ｂの下部領域で特に言え、いっそう強度が増す。このため、リブ８７ｂを設けなかった場合と比較して、収納ポケット９３の底面のたわみが小さくなる。従って、リブ８７ｂにより収納ポケット９３のたわみやひび割れをより抑えることができる。また後述するように前部ポケット８８の底面の少なくとも一部をいっそう下げることができる。尚、リブ８７ｂの下端は前部ポケット８８の下端よりも下がらないもので前部ポケット８８の底面に延びるものであれば更に強度が増し、後述する扉開閉にもあまり影響しない。
【００４５】
また、ポケット支え部８５の先を前部ポケット８８の扉側の壁面８８ａの近傍まで延ばし、荷重によるたわみや前記の回動する方向にかかる力によって扉側の壁面８８ａが、ポケット支え部８５の先端に当たるようにしてもよい。これにより、突出部８７ａを省いて、簡単な構成で荷重による収納ポケット９３のたわみをいっそう抑えることができる。
【００４６】
収納ポケット９３の底面のたわみを小さくすることにより、貯蔵物の荷重によるたわみで仕切り部８９に収納ポケット９３が接する可能性が少なくなり貯蔵物を入れた状態で扉を開閉しても収納ポケット９３の底面が仕切り部８９に擦れることもなくなる。これにより、収納ポケット９３の底面の一部を仕切り部８９の上面に近づけた状態に設定することができる。また前部ポケット８８底面を後部ポケット８７底面に対して更に低く配することで、後部ポケット８７に収納された貯蔵物の出し入れがより便利になる。
【００４７】
図２において、矢印は冷蔵室２内で循環する冷気の流れの一部を示している。チルド室２３から流出した冷気は冷蔵室２の上方から降りてくる冷気と混ざり合い、チルド室２３底面と冷蔵室の仕切り部８９上面の間の空間を通り、後方へ導かれる。
【００４８】
このとき前部ポケット８８底面と仕切り部８９上面の隙間が大きいと、冷気が収納ポケット９３とチルド室２３の前方との間を通った後その一部が前記隙間を通り扉２ａ側へ多く流れる。
【００４９】
収納ポケット９３はたわみが小さくなっているので、貯蔵物を入れない状態でも前部ポケット８８底面と仕切り部８９上面の間を近づけることができる。これにより扉２ａ側へ流れる冷気の一部を遮断することができる。従って、扉２ａ側へ流れる冷気は少なくなり、効率よく冷気が循環する。
【００５０】
これによって、扉２ａのポケット支え部８５より下方の貯蔵室内冷気による影響は少なくなり、外部からの熱の侵入をいっそう防ぐことができ熱ロスの減少に役立つ。そして、仕切り部８９を介して下方にある貯蔵室が大きく異なる温度帯（例えば、当貯蔵室温度＝３℃、下方にある貯蔵室温度＝４５℃又は−１８℃）にある場合、仕切り部８９の収納ポケット９３等が占める前後方向の領域（図２においては全体の約３分の１）は当貯蔵室内冷気の循環による影響も少なくなり、これもまた熱ロスの減少に役立つ。
【００５１】
また、冷蔵室の底壁を成す仕切り部８９には、上方に突出する可撓性のシール部９０が設けられる。扉２ａを閉じると前部ポケット８８の下端や底面がシール部９０に接して摺動し、前部ポケット８８と仕切り部８９との間が遮蔽される。従って、シール部９０は前部ポケット８８と仕切り部８９の間を遮蔽する遮蔽部を構成する。
【００５２】
これにより、前部ポケット８８と仕切り部８９との隙間を通って扉２ａ側に流通する冷気をよりいっそう遮断して断熱効果と冷却効果を向上することができる。また、シール部９０の代わりに、独立発泡のスポンジ状の巾のあるものを用いても同様にその効果は向上する。
【００５３】
また、仕切り８９から上方に突出する凸部を設けてもよい。即ち、扉を閉じるときに該凸部が前部ポケット８８の底面に近づき前記同様の効果が得られる。このとき前部ポケット８８底面の貯蔵室側先端付近に凸部を設け、凸部の後方の貯蔵室側を後方へ行くほど低くなる傾斜面や曲面にしておくと上方から降りてくる冷気をより円滑に後方に導くことができる。
【００５４】
また、ポケット支え部８５の先端近傍に配置される突出部８７ａには、ポケット支え部８５の下方でポケット支え部８５側に突出する凸部８７ｃが設けられる。ポケット支え部８５の先端下方は断面の外縁が円弧状の曲面から成り、貯蔵物の荷重により収納ポケット９３の底面がたわんで回動すると凸部８７ｃがポケット支え部８５の先端下方に当接する。
【００５５】
扉２ａを閉じたときに、その衝撃や衝撃による収納ポケット９３のたわみ或いは該たわみの反動等により収納ポケット９３には上方に押し上げる力が働く。このとき、凸部８７ｃがポケット支え部８５に係合して収納ポケット９３の上昇が規制される。したがって、凸部８７ｃは収納ポケット９３の上昇を規制する規制部を構成する。
【００５６】
尚、収納ポケット９３に貯蔵物を収納していないときに凸部８７ｃとポケット支え部８５の先端下方とが当接してもよい。凸部８７ｃに替えて突出部８７ａの少なくとも一部に下方がポケット支え部８５側に近づくように傾斜する傾斜面を設けてもよい。これにより、突起部８７ａの傾斜面がポケット支え部８５の先端下方に係合し、収納ポケット９３の上昇を規制する規制部を構成する。
【００５７】
また、ポケット支え部８５の先端部の下方にくぼみ８５ａを設けると、収納ポケット９３の底面がたわみ凸部８７ｃあるいは傾斜面が更に深く食い込む。これにより、収納ポケット９３の上昇を確実に防止することができ、より望ましい。尚、ポケット支え部８５の先端面の下方を平面又は曲面からなる傾斜面にしてもよい。
【００５８】
また、扉２ａ内側周囲（例えばドアバック８３全周付近）には溝８３ａが設けられ、溝８３ａにはドアパッキン９１が嵌められる。ドアパッキン９１は着磁体９１ａ（例えばゴム系樹脂に着磁性のある粒子を練りこんで磁化させたもの）を内装し、磁性体から成る冷蔵室２の開口部の周囲に吸着する。これにより、冷蔵室２が密封される。
【００５９】
また、扉２ａの下方にあるドアパッキン９１の着磁体９１ａは、溝８３ａよりも下方に設けられ、扉閉時に仕切部８９の前面に配された磁性体（例えば、カラー鉄板）からなる仕切プレート９２に対向し、互いに引き付け合い密着する。これにより、ドアキャップ８４側の扉２ａの下面と溝８３ａとの距離を大きくとることができ、溝８３ａから貯蔵室側に侵入する熱を減らし断熱性の向上を図ることができる。
【００６０】
また、扉と仕切プレート９２の重なりを少なくして着磁性９１ａによるひっつきによりシール性が確保できる。これによって、仕切プレート９２の上下方向の巾を必要以上に大きくする必要がなくなり、仕切り部８９の上下方向の厚みを断熱に必要な最小限のものにでき、各々の貯蔵室の容積効率の向上に役立つ。
【００６１】
また、溝８３ａを上方に設けることで、ポケット支え部８５と仕切部８９の間にできる空間は大きくなるが、前述したように、溝８３ａから貯蔵室側に侵入する熱は断熱性の向上により軽減することができる。また前部ポケット８８の底面を下げることにより冷気の扉２ａ側への分岐を少なくして前記空間に流入する冷気の一部を遮断する。これにより、更に断熱性が向上する。また、ポケット支え部８５と仕切部８９の間にできる空間が大きくなり、前部ポケット８８の一部のみが仕切部８９に近くなるだけであるので、扉開閉がスムーズになり操作性のよい扉が得られる。
【００６２】
尚、本実施形態において収納ポケットを前後２段に区分けしているが３段以上に区分けしてもよい。また、後部ポケット８７のポケット支え部８５よりも前部ポケット８８側の底面を前部ポケット８８の底面同様に下げても前記同様の効果は得られる。この場合後部ポケット８７の底面を下げた部分の内側にリブを設け、貯蔵物の支えと補強を兼ねると強度的にはいっそう向上し更に前記効果は向上する。
【００６３】
また本願において左又は右方向とは冷蔵庫正面から見てそれぞれ対応する左又は右の方向をいい、前又は後方向とは冷蔵庫正面から見てそれぞれ対応する前又は後の方向をいい、上又は下方向とは冷蔵庫正面から見てそれぞれ対応する上又は下の方向を意味する。ただし開いた状態の扉については扉の外面側を後方向とする。
【産業上の利用可能性】
【００６４】
本発明は、収納ポケットを有する冷蔵庫に利用することができる。
【図面の簡単な説明】
【００６５】
【図１】本発明の実施形態の冷蔵庫を示す正面図
【図２】本発明の実施形態の冷蔵庫を示す側面断面図
【図３】本発明の実施形態の冷蔵庫の冷蔵室を示す上面断面図
【図４】本発明の実施形態の冷蔵庫の冷却板を示す斜視図
【図５】本発明の実施形態の冷蔵庫扉の側面断面図
【符号の説明】
【００６６】
１    冷蔵庫
２    冷蔵室
２ａ  扉
３    温度切替室
４    製氷室
５    野菜室
６    冷凍室
１７    冷却器
１８    冷凍室送風機
２３    チルド室
２７    冷蔵室ダンパ
２８    冷蔵室送風機
３１、３２  冷気通路
４２    冷却板
５０    照明灯
５１    照明灯カバー
５２    循環通路
６０    脱臭ユニット
６１    ハウジング
６２    低温脱臭触媒
６３    送風機
６４    イオン発生装置
６５    ダンパ
６６    オゾン触媒
６７    第１通路
６８    第２通路
６９    モータ
７２    通風路
７３    臭いセンサ
８２    ドアプレート（外面部）
８３    ドアバック（内面部）
８３ａ  溝
８４    ドアキャップ
８５    ポケット支え部
８５ａ  くぼみ
８６    突出側面
８６ａ  突起部
８７    後部ポケット
８７ａ  突出部
８７ｂ  リブ
８７ｃ  凸部
８７ｅ  凹部
８８    前部ポケット
８８ａ  扉側の壁面
８９    仕切り部
９０    シール部
９１    ドアパッキン
９１ａ  着磁体
９２    仕切プレート
９３    収納ポケット
【図１】
0004587223.tif 000002
【図２】
0004587223.tif 000003
【図３】
0004587223.tif 000004
【図４】
0004587223.tif 000005
【図５】
0004587223.tif 000006